(57)【要約】 【課題】本発明は平面体を立体的にして使用するハンガーに関する。メッシュ繊維からなる平面状本体の周縁に線状部材を取り付け、本体を折り曲げ、内部に空間部を形成して通常の衣服類の荷重に耐えて保持されること、そして、ハンガー肩線部を上方へ折り上げて幅を小さく出来ることの二点の特徴を持った衣服用のハンガーである。【解決手段】略楕円状のメッシュ繊維の本体１の周囲に、可撓性部材２を環状に設置し、本体１を二つに折り曲げ、該折山が肩線部３となり、内面に空間部を形成した厚みのある衣服用ハンガー状に立体化する。肩線部３には、補強部材６を取り付け、ホックなどの留め具４を、前記ハンガーの厚みを所望により選択できるように複数段に配設し、前記立体ハンガー状形態を固定する。折山中央部に、フック部材７を設ける。【選択図】  図１
2014117497.tif 000002
【特許請求の範囲】
【請求項１】
略楕円状のメッシュ繊維の本体１の周囲に、細長状の可撓性部材２を環状に設置し、本体１を二つに折り曲げ、該折山が肩線部３となり、内面に空間部を形成した厚みのある衣服用ハンガー状に立体化するものであって、前記立体ハンガー状形態を維持固定するために、帯状片５と、対向する本体の外側に、前記ハンガーの厚みを所望により選択できるように複数段に留め具４を配設し、前記ハンガー折山肩線部３には、肩線部３が下がるのを防ぐ強度を有する補強部材６を取り付け、折山中央部に、脱着自在のフック部材７を貫通孔８に設けることを特徴とするメッシュハンガー。
【請求項２】
前記可撓性部材２は、細長の合成樹脂部材であることを特徴とする請求項１記載のメッシュハンガー。
【請求項３】
前記可撓性部材２は、細長の金属製部材であることを特徴とする請求項１記載のメッシュハンガー。
【請求項４】
前記ハンガー本体１の肩線部３に設ける補強部材６は、一枚以上の合成樹脂製の平板であることを特徴とする請求項１記載のメッシュハンガー。
【請求項５】
前記ハンガー本体１の肩線部３に設ける補強部材６は、１本以上の金属線を取り付けたことを特徴とする請求項１記載のメッシュハンガー。
【発明の詳細な説明】
【技術分野】
【０００１】
本発明は平面体を立体的にして使用するハンガーに関する。特徴は、メッシュ繊維からなる平面状本体の周縁に線状部材を取り付け、本体を折り曲げたときに、前記線状部材の可撓性により内部に空間部を形成して通常の衣服類の荷重に耐えて保持されること、そして、ハンガー肩線部を上方へ折り上げて幅を小さく出来ることの二点の新規性を持った衣服用のハンガーである。
【背景技術】
【０００２】
本発明周辺の先行技術には以下の文献が開示されている。
【先行技術文献】
【特許文献】
【０００３】
【特許文献１】特願２００６−３５１４５８  「発明の名称・衣服陳列兼物干し用ハンガー」該文献は、方形状シート本体（１）の中央部より一側辺に偏った位置に透孔（５）を穿ち、また、該方形状シート本体の一側辺より前記透孔に達するスリット（８）を入れて、該スリットの左右に重合片(９)(10)を形成し、該左右重合片を適宜の幅重ね合わせ、結着部材（12a）で接合し、該方形状シート本体を前記透孔を境目とする胸部（３）と背部（４）とを有する胸像本体（２）に形成し、該胸像本体（２）の透孔（５）に吊下げ部材（13）又は（14）を挿通して成る衣服陳列用具兼洗濯物干し用ハンガーとするにことにより、陳列商品を立体的に見せることができ、物干しとして用いた場合も洗濯物の乾きが早い、と開示されている。
【発明の概要】
【発明が解決しようとする課題】
【０００４】
先行技術の「衣服陳列兼物干し用ハンガー」は、方形状シートを折り曲げ、背部のスリット部を重ねて止めることで立体化をなすものである。また、ハンガーとしての荷重に対する肩線部の保持力は、別個ハンガー部材を入れ込み、方形状シートと独立している。また、衣服にとりつけるときは、ハンガー部と方形シートとを一緒に差し通す際、前開きのない衣服の場合はほとんどハンガーを入れ込む際の必要幅より狭く、裾方向などから差し入れなければならず、取り付けに手間を要する。
それに対し、本発明は、新規性を有する大きな二つの特徴を持つ。
本体は平面状の柔らかい繊維で作られたメッシュ部材であるが、その周縁に環状に取り付ける適度な強度のある可撓性部材と、肩線に取り付ける補強部材を一体化しているので、それ自体が衣服を掛けることができるハンガーである。そして機能の第一の特徴は、本体を折り曲げ、適度な強度のある細長の可撓性部材が立体形状の底辺から本体周縁全てを支え、肩線部の補強部材が、上から下へ懸る衣服による荷重を受けても脱落しない強度を提供できることである。
さらに第二の特徴は、肩線に取り付ける補強部材は、プラスチック板や金属片などを内設することによって、肩線部より狭ければ、左右の肩先をつまんで中央方向へ負荷をかけると本体が上方へは簡単に曲がり平板の幅まで縮み、肩幅を短くすることができる。肩線部の幅一杯の場合は、撓む程度の平板で形成すれば、平板ごと本体は片手で掴める程に小型化でき、丸首シャツ等の開口部の狭い衣服への取り付け、取り外しが容易となる。このように、従来にない特徴を持つもので、先行技術とは、全く相違するものである。
【０００５】
従来の衣服を取り付けて吊るすことのできるハンガーは、参考文献の先行技術のハンガーばかりでなく、市場には多数の種類が存在する。しかし、それらは、大きさ、部材、などは多様性があっても、部材の強度はそのままハンガーの強度であり、形状は使用前に平面体であって使用するときに立体化する繊維状本体を有するものはない。
また、洗たく物の衣服を吊り下げて干す場合、いずれも衣服の摺り落ちや脱落などの問題があるために、洗たく挟みが必須である。また、厚手のスウェット系やジーンズなどでは、衣服の内部が密着するので乾きにくい。さらに、セーターなどのニットは伸びやすく、平面状に寝かせて干すなどの考慮が必要であった。
そこで本発明はそれらの課題に鑑みて、ハンガーに厚みを形成する立体化を可能とし、メッシュ素材の通気性と、衣服内部に空間を形成することで乾きやすく、また、衣服の形状を無理なく保ち型崩れを防止し、滑りにくく、洗たく挟みを不要とするように解決したものである。  
【課題を解決するための手段】
【０００６】
略楕円状のメッシュ繊維の本体１の周囲に、細長状の可撓性部材２を環状に設置し、本体１を二つに折り曲げ、該折山が肩線部３となり、内面に空間部を形成した厚みのある衣服用ハンガー状に立体化するものであって、前記立体ハンガー状形態を維持固定するために、帯状片５と、対向する本体の外側に、前記ハンガーの厚みを所望により選択できるように複数段に留め具４を配設し、前記ハンガー折山肩線部３には、肩線部３が下がるのを防ぐ強度を有する補強部材６を取り付け、折山中央部に、脱着自在のフック部材７を貫通孔８に設ける。
【発明の効果】
【０００７】
本体は柔らかい繊維のメッシュ部材であって、その周縁に環状に取り付ける細長の可撓性部材と、肩線に取り付ける補強部材、そして、吊り下げるためのフックなどからなり、構造が単純で、部材が安価である。
商品販売時には、本体を広げ、フックを外して、全体を平面状の包装ができ、沢山の商品の陳列が容易である。
細長の可撓性部材で本体を立体化するという新規な方法によって、上から下へ懸る衣服による荷重を受けても変形しない強度を提供できる効果がある。
さらに、肩線に取り付ける補強部材が、プラスチックなどの平板により、左右の肩先をつまんで中央方向へ負荷をかけると本体が上方へは簡単に曲がり、それによって、肩幅を短くすることができるので、本体は片手で掴める程に小型化でき、丸首シャツ等の開口部の狭い衣服への取り付け、取り外しが容易となるものである。
本体は繊維メッシュよりなり、ハンガーに厚みを形成する立体化を可能とし、通気性と、衣服内部に空間を形成することで乾きやすい。また、衣服の形状を無理なく保ち型崩れを防止する。立体的であることと素材が滑りにくいことによって、洗たく挟みを不要とするなどのさまざまな効果がある。  
【図面の簡単な説明】
【０００８】
【図１】は本発明を立体化した状態の斜視図である。
【図２】は本発明平面図である。
【図３】は本発明を立体化した時の底面図である。
【図４】は本発明を衣服に挿通する際に肩線を幅寄した使用例図である。
【図５】は本発明をシャツに取り付けた状態の使用例図である。
【図６】は本発明をパンツに取り付けた状態の使用例図である。
【図７】は本発明を取り外す状態を示す使用例図である。
【発明を実施するための形態】
【０００９】
略楕円状のメッシュ繊維の本体周囲に、細長の可撓性部材を環状に設置する。本体を二つに折り曲げ、該折山が肩線部となり、内面に空間部を形成した厚みのある衣服用ハンガー状に立体化する。前記立体ハンガー状形態を固定するホックなどの留め具を、前記ハンガーの厚みを所望により選択できるように配設し、前記ハンガー折山肩線部には、補強部材を取り付け、衣服の荷重を、可撓性部材とともに支持する。折山中央部に、脱着自在のフック部材を貫通孔に設け、ハンガーを吊るす。
【実施例】
【００１０】
本発明の実施例を図面に従って説明する。
図１は本発明における斜視図である。略楕円状のメッシュ繊維の本体１の周囲の設置部１１に、細長の可撓性部材２を環状に設置し、本体１を二つに折り曲げ、該折山が肩線部３となり、内面に空間部を形成した厚みのある衣服用ハンガー状に立体化するものである。前記立体ハンガー状形態を固定する留め具４を、前記ハンガーの厚みを所望により選択できるように複数段に、帯状片５と、対向する本体の外側に配設する。図面１に示す留め具はホックであるが、その他、ボタン、紐、面状ファスナーなどを取り付けが可能である。前記ハンガー折山肩線部３は、補強部材６を取り付ける。
取り付け方法は、本体１の肩線部３に設けたポケット１２に差し通している。
図示した補強部材６は合成樹脂などからなる平板を表したものである。この補強部材は、肩線部より短いものを表示している。その場合は硬質の合成樹脂などの平板、もしくは硬質の金属片などを使用することができるが、肩線部一杯の幅に取り付ける場合は、平板および金属片いずれも、手の力で、撓む程度の弾性のある部材とする。折山中央部に、脱着自在のフック部材７を貫通孔８に設ける。
【００１１】
図２は、本発明平面図である。肩線部に交差する帯状片５は、本体外周を取り巻く状態に取り付け、ホック等の留め具４の位置を複数段に設けることで、本体の厚みを所望の点を選択することができる。ボタンや、面状ファスナー、紐を応用することも可能である。この、複数段に留め具を設けることは、本体の厚みを変えられるとともに、複数個の本体を収納するときに重ねて束ねる際の固定具となり、内部を細目、外側を太目とすることで収納ができる。
【００１２】
図３は、本発明における本体を立体化した状態の底面図である。帯状片５を本体に巻き付け、厚みを形成したハンガーにできる状態を表す。
【００１３】
図４は、本発明を衣服に挿通する際に肩線を幅寄せした使用例図である。図に示すように、本体の肩線の左右両端を中央に掴み込むと、可撓性の部材が環状であることによって内側への撓みが容易で、幅寄せができる。図１の実施例の補強部材が、肩線部より幅が狭い状態を示すが、このような形状であれば、硬質部材、可撓性部材のいずれも可能であり、補強部材の幅まで短縮できる。補強部材そのものに撓みをつくる程度の弾力性部材を使用すれば、肩線一杯の長さであっても短縮可能である。その場合は、衣服の荷重に耐えられる強度であることが必須である。図５はシャツに取り付けた後の状態を表す。図６はパンツに取り付けた後の状態を表す。衣服にハンガーを差し込む際、本体の肩線の両端を掴んで幅寄せすることにより、ハンガーの幅を短くでき、襟口から差し入れて、手を話すことにより、衣服内部で広がり定位置に収まる。
【００１４】
図７は、取り外す状態を示す。本体が上方に撓み、片側を無理なく引き上げられるので、衣服の襟口の肩崩れすることなく、容易に取り外しができる。
【産業上の利用可能性】
【００１５】
本発明は、洗たくした衣服を干すためのハンガーばかりでなく、厚みを形成するハンガーであるため、展示用に見栄えのするレイアウトができる。さらに、本体の色彩を考慮することによって、ブラウスやセーターなど可愛らしさを演出したハンガーとして使うことが出来る上、帯状片が本体の底辺に掛け渡された状態であるから、ネクタイやスカーフなどが滑べり落ちすることなく掛けることができるなど多方面での用途がある。
【符号の説明】
【００１６】
１  本体
２  可撓性部材
３  肩線
４  留め具
５  帯状片
６  補強材
７  フック部材
８  貫通孔
９  シャツ
１０  パンツ
１１  設置部
１２  ポケット
【図１】
2014117497.tif 000003
【図２】
2014117497.tif 000004
【図３】
2014117497.tif 000005
【図４】
2014117497.tif 000006
【図５】
2014117497.tif 000007
【図６】
2014117497.tif 000008
【図７】
2014117497.tif 000009